(57)【要約】【課題】省電力状態が設定される画像形成装置において省電力状態からの復帰時間の短縮を図る。【解決手段】稼働電力ライン１９による構成要素への稼働電力の供給をオンオフ切換する第１スイッチＳＷ_Ａと、稼働電力ライン１９にて供給される稼働電力を保持する平滑コンデンサＣ１_１,Ｃ１_２,Ｃ１_３と稼働電力ライン１９との間の接続をオンオフ切換する第１コンデンサスイッチＳＷ１_１、第２コンデンサスイッチＳＷ１_２、第３コンデンサスイッチＳＷ１_３とを備え、第１スイッチＳＷ_Ａのオンオフ切換が機能部に設定された動作状態に対応させて制御され、かつ、第１スイッチＳＷ_Ａのオンオフ切換に対応させて第１コンデンサスイッチＳＷ１_１、第２コンデンサスイッチＳＷ１_２、第３コンデンサスイッチＳＷ１_３のオンオフ切換が制御される。【選択図】図４
2010088073.tif 000002
【特許請求の範囲】
【請求項１】
自らの動作状態を動作可能状態と当該動作可能状態よりも供給電力が低減された省電力状態とに制御可能であって、画像情報に基づき用紙に画像を形成する機能を有する画像形成機能部と、
自らの動作状態を動作可能状態と当該動作可能状態よりも供給電力が低減された省電力状態とに制御可能であって、前記画像形成機能部にて行われる画像形成に関連する機能を実行する複数の制御機能部とを備え、
前記画像形成機能部および前記制御機能部は、
当該画像形成機能部または当該制御機能部を機能させる際に動作する構成要素に当該構成要素を稼動させる稼働電力を供給する稼働電力線と、
前記稼働電力線による前記構成要素への前記稼働電力の供給をオンオフ切換する第１切換手段と、
前記稼働電力線と接地との間に配置され、当該稼働電力線にて供給される稼働電力を保持する第１電力保持手段と、
前記第１電力保持手段と前記稼働電力線との間の接続をオンオフ切換する第２切換手段と、
前記第１切換手段のオンオフ切換を当該画像形成機能部または当該制御機能部に設定された前記動作状態に対応させて制御し、かつ、当該第１切換手段のオンオフ切換に対応させて前記第２切換手段のオンオフ切換を制御する制御手段と
を備えたことを特徴とする画像形成装置。
【請求項２】
前記画像形成機能部および前記制御機能部は、前記動作状態を前記省電力状態から前記動作可能状態に移行させた際に、予め定めたタイミングで自らの前記構成要素に設定する設定値を定める初期化処理を実行する初期化処理手段と、当該初期化処理を実行するタイミングにて前記稼働電力線に供給される前記稼働電力が予め定めた電圧に到達しているか否かを他の当該画像形成機能部または他の当該制御機能部に配置された当該構成要素の状態量に基づいて判定する判定手段とをさらに備えたことを特徴とする請求項１記載の画像形成装置。
【請求項３】
前記画像形成機能部および前記制御機能部は、前記初期化処理を実行するタイミングにて前記稼働電力線に供給される前記稼働電力が予め定めた電圧に到達していないと判定した場合に、他の当該画像形成機能部または他の当該制御機能部に配置された前記構成要素の状態量に基づいて当該初期化処理にて自らの当該構成要素に設定した前記設定値を補正する補正手段をさらに備えたことを特徴とする請求項２記載の画像形成装置。
【請求項４】
前記画像形成機能部および前記制御機能部は、前記構成要素を制御する構成要素制御手段を駆動する制御電力を供給する制御電力線と、当該制御電力線による当該構成要素制御手段への当該制御電力の供給をオンオフ切換する第３切換手段と、当該制御電力線と接地との間に配置され、当該制御電力線に供給される制御電力を保持する第２電力保持手段と、当該第２電力保持手段と当該制御電力線との間の接続をオンオフ切換する第４切換手段とをさらに備え、
前記制御手段は、前記第３切換手段のオンオフ切換を当該画像形成機能部または当該制御機能部に設定された前記動作状態に対応させて制御し、当該第３切換手段のオンオフ切換に対応させて前記第４切換手段のオンオフ切換を制御することを特徴とする請求項１記載の画像形成装置。
【請求項５】
前記制御手段は、当該画像形成機能部または当該制御機能部の前記動作状態を前記省電力状態から前記動作可能状態に移行させる場合に、前記第１切換手段をオンに設定するのに同期させて前記第２切換手段をオンに設定し、当該動作可能状態から当該省電力状態に移行させる際に、当該第１切換手段をオフに設定するのに同期させて当該第２切換手段をオフに設定することを特徴とする請求項１記載の画像形成装置。
【請求項６】
自らの動作状態を動作可能状態と当該動作可能状態よりも供給電力が低減された省電力状態とに制御可能であって特定機能を実行する機能部に設定される当該動作状態に関する情報を取得する取得手段と、
前記機能部にて前記特定機能を実行させる際に動作する構成要素に供給される稼働電力のオンオフ切換制御と、当該稼働電力を供給する稼働電力線と接地との間に配置された当該稼働電力を保持する第１電力保持手段と当該稼働電力線との間の接続に関するオンオフ切換制御とを行う制御手段とを備え、
前記制御手段は、前記取得手段にて取得された前記動作状態に関する情報に対応させて前記稼働電力をオンオフ切換制御し、かつ、当該稼働電力のオンオフ切換制御に対応させて前記第１電力保持手段と当該稼働電力線との間の接続をオンオフ切換制御することを特徴とする制御装置。
【請求項７】
前記制御手段は、前記機能部に設けられた前記構成要素を制御する構成要素制御手段に供給される制御電力のオンオフ切換制御と、当該制御電力を供給する制御電力線と接地との間に配置された当該制御電力を保持する第２電力保持手段と当該制御電力線との間の接続に関するオンオフ切換制御とをさらに行うとともに、前記取得手段にて取得された前記動作状態に関する情報に対応させて当該制御電力をオンオフ切換制御し、当該制御電力の供給のオンオフ切換制御に対応させて当該第２電力保持手段と当該制御電力線との間の接続をオンオフ切換制御することを特徴とする請求項６記載の制御装置。
【請求項８】
前記制御手段は、前記取得手段にて取得された前記動作状態に関する情報が前記省電力状態から前記動作可能状態に移行させるものであった場合に、前記稼働電力の供給をオンに設定するのに同期させて前記第１電力保持手段と前記稼働電力線との間の接続をオンに設定し、当該動作可能状態から当該省電力状態に移行させるものであった場合に、当該稼働電力の供給をオフに設定するのに同期させて当該第１電力保持手段と当該稼働電力線との間の接続をオフに設定することを特徴とする請求項６記載の制御装置。
【請求項９】
コンピュータに、
自らの動作状態を動作可能状態と当該動作可能状態よりも供給電力が低減された省電力状態とに制御可能であって特定機能を実行する機能部において設定される当該動作状態に関する情報を取得する機能と、
前記機能部にて前記特定機能を実行させる際に動作する構成要素に供給される稼働電力のオンオフ切換を、取得された前記動作状態に関する情報に対応させて制御し、かつ、当該稼働電力を供給する稼働電力線と接地との間に配置された当該稼働電力を保持する第１電力保持手段と当該稼働電力線との間の接続に関するオンオフ切換を、当該稼働電力のオンオフ切換に対応させて制御する機能と
を実現させることを特徴とするプログラム。
【発明の詳細な説明】
【技術分野】
【０００１】
本発明は、画像形成装置、制御装置、およびプログラムに関する。
【背景技術】
【０００２】
一般のプリンタや複写機等の画像形成装置では、例えば予め定めた時間を超えて画像データ等が入力されない場合には、消費電力が低く設定された動作状態（省電力状態）に移行させて、装置の省電力化を図っている。
例えば特許文献１には、ジョブ実行に応じた電源制御を行うために、実行しようとするジョブが特定された時点で、ジョブ実行に必要なユニットに対して電源供給を行うとともに、ユニットの起動を指示するようにして、必要な時のみに電源の電力を消費するようにした技術が開示されている。
【０００３】
【特許文献１】特開２００６−２３１５３２号公報
【発明の開示】
【発明が解決しようとする課題】
【０００４】
ここで一般に、複写機能やプリント機能、ファクシミリ機能等といった複数の機能を備えた画像形成装置では、省電力状態に設定された機能部を動作可能状態に復帰させる際に、その機能部の初期設定を改めて行う必要がある。そのため、初期設定のために要する時間により、機能部が動作可能状態に復帰するまでの待ち時間が長くなる場合がある。
本発明は、省電力状態が設定される画像形成装置において省電力状態からの復帰時間の短縮を図ることを目的とする。
【課題を解決するための手段】
【０００５】
請求項１に記載の発明は、自らの動作状態を動作可能状態と当該動作可能状態よりも供給電力が低減された省電力状態とに制御可能であって、画像情報に基づき用紙に画像を形成する機能を有する画像形成機能部と、自らの動作状態を動作可能状態と当該動作可能状態よりも供給電力が低減された省電力状態とに制御可能であって、前記画像形成機能部にて行われる画像形成に関連する機能を実行する複数の制御機能部とを備え、前記画像形成機能部および前記制御機能部は、当該画像形成機能部または当該制御機能部を機能させる際に動作する構成要素に当該構成要素を稼動させる稼働電力を供給する稼働電力線と、前記稼働電力線による前記構成要素への前記稼働電力の供給をオンオフ切換する第１切換手段と、前記稼働電力線と接地との間に配置され、当該稼働電力線にて供給される稼働電力を保持する第１電力保持手段と、前記第１電力保持手段と前記稼働電力線との間の接続をオンオフ切換する第２切換手段と、前記第１切換手段のオンオフ切換を当該画像形成機能部または当該制御機能部に設定された前記動作状態に対応させて制御し、かつ、当該第１切換手段のオンオフ切換に対応させて前記第２切換手段のオンオフ切換を制御する制御手段とを備えたことを特徴とする画像形成装置である。
【０００６】
請求項２に記載の発明は、前記画像形成機能部および前記制御機能部は、前記動作状態を前記省電力状態から前記動作可能状態に移行させた際に、予め定めたタイミングで自らの前記構成要素に設定する設定値を定める初期化処理を実行する初期化処理手段と、当該初期化処理を実行するタイミングにて前記稼働電力線に供給される前記稼働電力が予め定めた電圧に到達しているか否かを他の当該画像形成機能部または他の当該制御機能部に配置された当該構成要素の状態量に基づいて判定する判定手段とをさらに備えたことを特徴とする請求項１記載の画像形成装置である。
請求項３に記載の発明は、前記画像形成機能部および前記制御機能部は、前記初期化処理を実行するタイミングにて前記稼働電力線に供給される前記稼働電力が予め定めた電圧に到達していないと判定した場合に、他の当該画像形成機能部または他の当該制御機能部に配置された前記構成要素の状態量に基づいて当該初期化処理にて自らの当該構成要素に設定した前記設定値を補正する補正手段をさらに備えたことを特徴とする請求項２記載の画像形成装置である。
請求項４に記載の発明は、前記画像形成機能部および前記制御機能部は、前記構成要素を制御する構成要素制御手段を駆動する制御電力を供給する制御電力線と、当該制御電力線による当該構成要素制御手段への当該制御電力の供給をオンオフ切換する第３切換手段と、当該制御電力線と接地との間に配置され、当該制御電力線に供給される制御電力を保持する第２電力保持手段と、当該第２電力保持手段と当該制御電力線との間の接続をオンオフ切換する第４切換手段とをさらに備え、前記制御手段は、前記第３切換手段のオンオフ切換を当該画像形成機能部または当該制御機能部に設定された前記動作状態に対応させて制御し、当該第３切換手段のオンオフ切換に対応させて前記第４切換手段のオンオフ切換を制御することを特徴とする請求項１記載の画像形成装置である。
請求項５に記載の発明は、前記制御手段は、当該画像形成機能部または当該制御機能部の前記動作状態を前記省電力状態から前記動作可能状態に移行させる場合に、前記第１切換手段をオンに設定するのに同期させて前記第２切換手段をオンに設定し、当該動作可能状態から当該省電力状態に移行させる際に、当該第１切換手段をオフに設定するのに同期させて当該第２切換手段をオフに設定することを特徴とする請求項１記載の画像形成装置である。
【０００７】
請求項６に記載の発明は、自らの動作状態を動作可能状態と当該動作可能状態よりも供給電力が低減された省電力状態とに制御可能であって特定機能を実行する機能部に設定される当該動作状態に関する情報を取得する取得手段と、前記機能部にて前記特定機能を実行させる際に動作する構成要素に供給される稼働電力のオンオフ切換制御と、当該稼働電力を供給する稼働電力線と接地との間に配置された当該稼働電力を保持する第１電力保持手段と当該稼働電力線との間の接続に関するオンオフ切換制御とを行う制御手段とを備え、前記制御手段は、前記取得手段にて取得された前記動作状態に関する情報に対応させて前記稼働電力をオンオフ切換制御し、かつ、当該稼働電力のオンオフ切換制御に対応させて前記第１電力保持手段と当該稼働電力線との間の接続をオンオフ切換制御することを特徴とする制御装置である。
【０００８】
請求項７に記載の発明は、前記制御手段は、前記機能部に設けられた前記構成要素を制御する構成要素制御手段に供給される制御電力のオンオフ切換制御と、当該制御電力を供給する制御電力線と接地との間に配置された当該制御電力を保持する第２電力保持手段と当該制御電力線との間の接続に関するオンオフ切換制御とをさらに行うとともに、前記取得手段にて取得された前記動作状態に関する情報に対応させて当該制御電力をオンオフ切換制御し、当該制御電力の供給のオンオフ切換制御に対応させて当該第２電力保持手段と当該制御電力線との間の接続をオンオフ切換制御することを特徴とする請求項６記載の制御装置である。
請求項８に記載の発明は、前記制御手段は、前記取得手段にて取得された前記動作状態に関する情報が前記省電力状態から前記動作可能状態に移行させるものであった場合に、前記稼働電力の供給をオンに設定するのに同期させて前記第１電力保持手段と前記稼働電力線との間の接続をオンに設定し、当該動作可能状態から当該省電力状態に移行させるものであった場合に、当該稼働電力の供給をオフに設定するのに同期させて当該第１電力保持手段と当該稼働電力線との間の接続をオフに設定することを特徴とする請求項６記載の制御装置である。
【０００９】
請求項９に記載の発明は、コンピュータに、自らの動作状態を動作可能状態と当該動作可能状態よりも供給電力が低減された省電力状態とに制御可能であって特定機能を実行する機能部において設定される当該動作状態に関する情報を取得する機能と、前記機能部にて前記特定機能を実行させる際に動作する構成要素に供給される稼働電力のオンオフ切換を、取得された前記動作状態に関する情報に対応させて制御し、かつ、当該稼働電力を供給する稼働電力線と接地との間に配置された当該稼働電力を保持する第１電力保持手段と当該稼働電力線との間の接続に関するオンオフ切換を、当該稼働電力のオンオフ切換に対応させて制御する機能とを実現させることを特徴とするプログラムである。
【発明の効果】
【００１０】
本発明の請求項１によれば、本発明を採用しない場合に比べ、省電力状態が設定される画像形成装置において省電力状態からの復帰時間の短縮を図ることができる。
本発明の請求項２によれば、初期化処理が予め定めた電圧の稼働電力の下で行われない場合に生じる各構成要素に設定される設定値の精度低下を予め把握することができる。
本発明の請求項３によれば、本発明を採用しない場合に比べ、画像形成機能部および制御機能部にて動作不良が発生するのを抑制することができる。
本発明の請求項４によれば、本発明を採用しない場合に比べ、動作状態を省電力状態から動作可能状態に移行させる際の構成要素制御手段の復帰時間をさらに短縮することができる。
本発明の請求項５によれば、本発明を採用しない場合に比べ、第１電力保持手段に稼働電力を効率的に保持させ、また第１電力保持手段に保持された稼働電力を効率的に利用することができる。
【００１１】
本発明の請求項６によれば、本発明を採用しない場合に比べ、省電力状態が設定される画像形成装置において省電力状態からの復帰時間の短縮を図ることができる。
本発明の請求項７によれば、本発明を採用しない場合に比べ、動作状態を省電力状態から動作可能状態に移行させる際の構成要素制御手段の復帰時間をさらに短縮することができる。
本発明の請求項８によれば、本発明を採用しない場合に比べ、第１電力保持手段に稼働電力を効率的に保持させ、また第１電力保持手段に保持された稼働電力を効率的に利用することができる。
本発明の請求項９によれば、本発明を採用しない場合に比べ、省電力状態が設定される画像形成装置において省電力状態からの復帰時間の短縮を図ることができる。
【発明を実施するための最良の形態】
【００１２】
以下、添付図面を参照して、本発明の実施の形態について詳細に説明する。
〈画像形成装置の全体説明〉
図１は本実施の形態が適用される画像形成装置１の全体構成の一例を示した図である。図１に示す画像形成装置１は、各色の画像データ（画像情報）に基づき画像形成を行う画像形成機能部の一例としての画像形成ユニット２、原稿上の画像を読み取って画像データを生成し画像形成ユニット２に送る制御機能部の一例としての画像読取ユニット３を備えている。また、ユーザからの操作入力の受付やユーザに対する各種情報の表示を行う制御機能部の一例としてのユーザインターフェース（ＵＩ）ユニット４、例えば公衆電話回線を介して画像情報の送受信を行う制御機能部の一例としてのファクシミリ（ＦＡＸ）ユニット５を備えている。
さらに、画像形成装置１は、画像形成ユニット２（画像形成装置本体）に例えば外付けで接続され、画像形成ユニット２に用紙Ｐを供給する制御機能部の一例としてのトレイユニット６、例えばハードディスクドライブ（ＨＤＤ）やフラッシュメモリ等で構成される外部記憶装置であるメモリユニット７を備えている。またさらに、画像形成装置１全体の動作や通信回線を介した通信等を制御する制御手段の一例としてのシステム制御ユニット８、各部に電力を供給する電力供給ユニット９を備えている。
【００１３】
〈画像形成ユニットの説明〉
図１に示すように、画像形成ユニット２は、一定の間隔を置いて並列的に配置された４つの画像形成モジュール３０Ｙ,３０Ｍ,３０Ｃ,３０Ｋ（以下、画像形成モジュール３０）を備えている。各画像形成モジュール３０には、構成要素の一例である画像形成機構部（後段図３の画像形成機構部２４）として、静電潜像を形成してトナー像を保持する感光体ドラム３１、感光体ドラム３１の表面を帯電する帯電器３２、帯電器３２によって帯電された感光体ドラム３１を画像データに基づいて露光する露光器３３、感光体ドラム３１上に形成された静電潜像を現像する現像器３４、転写後の感光体ドラム３１表面を清掃するクリーナ３５が配置されている。
そして、各画像形成モジュール３０は、それぞれがイエロー（Ｙ）、マゼンタ（Ｍ）、シアン（Ｃ）、黒（Ｋ）のトナー像を形成する。
【００１４】
さらに、画像形成ユニット２は、画像形成機構部として、各画像形成モジュール３０の感光体ドラム３１にて形成された各色トナー像が多重転写される中間転写ベルト３６、各画像形成モジュール３０による各色トナー像を中間転写ベルト３６に順次転写（一次転写）する一次転写ロール３７、中間転写ベルト３６上に転写された重畳トナー像を記録材（記録紙）である用紙Ｐに一括転写（二次転写）する二次転写ロール３８、二次転写されたトナー画像を用紙Ｐに定着する定着器３９を備えている。
また、画像形成ユニット２は、用紙Ｐ１を収容する用紙収容容器４１を備えている。また、用紙収容容器４１から用紙Ｐ１を用紙搬送経路Ｒ１に繰り出す構成要素の一例としての給紙機構部４２、用紙収容容器４１やトレイユニット６からの用紙搬送経路Ｒ１や両面印刷時に使用する両面搬送路Ｒ２、さらには手差し用紙収容容器４５からの用紙搬送経路Ｒ３に沿って用紙Ｐを搬送する構成要素の一例としての用紙搬送機構部４３を備えている。
そして、画像形成ユニット２は、画像読取ユニット３からの画像データ（画像情報）、システム制御ユニット８が通信手段（後段図２の外部ＬＡＮ１４）を介して取得した印刷ジョブデータ（画像情報）、ＦＡＸユニット５にて受信したファクシミリデータ（画像情報）に基づいて、用紙収容容器４１や手差し用紙収容容器４５やトレイユニット６に収容された用紙Ｐに画像を形成する。
【００１５】
〈トレイユニットの説明〉
トレイユニット６は、上下方向に縦列的に配置された構成要素の一例としての３つのサブトレイ機構部６Ａ〜６Ｃと、サブトレイ機構部６Ａ〜６Ｃに横列して配置された構成要素の一例としての大容量のサブトレイ機構部６Ｄとを備えている。サブトレイ機構部６Ａは、用紙Ｐ２を収容し、用紙Ｐ２を画像形成ユニット２に供給する。サブトレイ機構部６Ｂは、用紙Ｐ３を収容し、サブトレイ機構部６Ａを通って用紙Ｐ３を画像形成ユニット２に供給する。サブトレイ機構部６Ｃは、用紙Ｐ４を収容し、サブトレイ機構部６Ａおよびサブトレイ機構部６Ｂを通って用紙Ｐ４を画像形成ユニット２に供給する。サブトレイ機構部６Ｄは、用紙Ｐ５を収容し、用紙Ｐ５を画像形成ユニット２に供給する。
そして、トレイユニット６は、ＵＩユニット４にてユーザの操作入力により指定された用紙Ｐ２〜Ｐ５や、システム制御ユニット８が取得した印刷ジョブデータにて指定された用紙Ｐ２〜Ｐ５をサブトレイ機構部６Ａ〜６Ｄの何れかから画像形成ユニット２に供給する。
【００１６】
〈画像形成装置の通信系統および電力供給系統の説明〉
次の図２は、図１に示す画像形成装置１の通信系統と電力供給系統とを説明する図である。本実施の形態では、画像形成機能部である画像形成ユニット２と、制御機能部である画像読取ユニット３、ＵＩユニット４、ＦＡＸユニット５、トレイユニット６、メモリユニット７と、さらにはシステム制御ユニット８とが、機内ＬＡＮ（Local Area Network）１３に接続されている。本実施の形態では、各ユニット間を１本のバス（機内ＬＡＮ１３）に接続し、ユニット間の通信を実現している。それにより、システム制御ユニット８は、他のユニットを統合的に制御する。
また、システム制御ユニット８は、外部の機器（外部機器）と外部ＬＡＮ１４によって接続されている。それにより、システム制御ユニット８は、外部ＬＡＮ１４を介して外部機器から送られた印刷ジョブデータを、機内ＬＡＮ１３を介して画像形成ユニット２やメモリユニット７に送る。
さらに、画像形成装置１の各ユニット（画像形成ユニット２、画像読取ユニット３、ＵＩユニット４、ＦＡＸユニット５、トレイユニット６、メモリユニット７、システム制御ユニット８）には電力ライン１５が接続されており、この電力ライン１５に接続されている電力供給ユニット９を介して電力が供給される。電力供給ユニット９は、商用電源からの交流電力を予め定めた電圧の直流電力に変換して、各ユニットに対して例えば２４Ｖの稼動電力を常時供給する。
【００１７】
〈画像形成ユニットでの電源供給・停止制御の説明〉
続いて、画像形成ユニット２で行われる電源供給・停止の制御を、各ユニット内で行われる電源供給・停止の代表例として説明する。
図３は、画像形成ユニット２の機能構成を説明する図である。画像形成機能部である画像形成ユニット２は、画像形成ユニット２の全体を制御する画像形成制御部２０を備えている。また、各機構部（画像形成機構部２４、給紙機構部４２、用紙搬送機構部４３）を個別に制御するサブ制御部として、画像形成機構部２４を制御する構成要素制御手段の一例としてのプロセス制御部２１、給紙機構部４２を制御する構成要素制御手段の一例としての給紙制御部２２、および用紙搬送機構部４３を制御する構成要素制御手段の一例としての用紙搬送制御部２３を備えている。また、電源部として、画像形成ユニット２内に電力を供給する画像形成電源部２９を備えている。
画像形成制御部２０は、機内ＬＡＮ１３により接続されたシステム制御ユニット８からの制御信号に従って、ユニット内ＬＡＮ（Local Area Network）１６により接続された各サブ制御部（プロセス制御部２１、給紙制御部２２、用紙搬送制御部２３）および画像形成電源部２９を制御する。
【００１８】
また、画像形成制御部２０は、システム制御ユニット８からの制御信号に従って、画像形成ユニット２の電源モード（動作状態）の遷移を制御する。すなわち、画像形成制御部２０は、システム制御ユニット８からの制御信号に基づき画像形成電源部２９を制御して、（i）電力供給を停止するスリープモード、（ii）各制御部への制御電力（５Ｖ,３Ｖ）だけを供給するスタンバイモード、（iii）制御電力（５Ｖ,３Ｖ）および各機構部への稼働電力（２４Ｖ）を供給するジョブモード等の電源モードを画像形成ユニット２に設定する。
その際に、画像形成制御部２０は、スリープモードからの復帰時における画像形成電源部２９から各制御部への制御電力（５Ｖ,３Ｖ）の供給・停止および各機構部への稼働電力（２４Ｖ）の供給・停止を制御する。
【００１９】
画像形成電源部２９は、電力供給ユニット９から電力ライン１５を介して稼働電力（２４Ｖ）が常時供給される。そして、画像形成電源部２９は、システム制御ユニット８からの制御信号に基づき画像形成制御部２０が設定する電源モードに応じて、各機構部および各サブ制御部への電力供給を制御する。
すなわち、画像形成電源部２９は、ジョブモードが設定された場合に、電力ライン１５を介して供給される２４Ｖ電圧の稼働電力を、画像形成ユニット２内の稼働電力線の一例としての稼働電力ライン１９を介して各機構部に供給する（電力供給状態）。また、画像形成電源部２９は、スタンバイモードが設定された場合に、第１ＤＣ/ＤＣコンバータ２９１（後段の図４参照）により５Ｖに低電圧化した制御電力を、画像形成ユニット２内の制御電力線の一例としての制御用電力ライン１８を介して画像形成制御部２０や各サブ制御部に配置されたＡＳＩＣ（Application Specific Integrated Circuit）２８１等のＩＣ（Integrated Circuit）等に供給する（電力供給状態）。また同様に、スタンバイモードが設定された場合に、第２ＤＣ/ＤＣコンバータ２９２（後段の図４参照）により３Ｖに低電圧化した制御電力を、画像形成ユニット２内の制御電力線の一例としての制御用電力ライン１７を介して画像形成制御部２０や各サブ制御部のＣＰＵ（Central Processing Unit）２８２やＳＲＡＭ（Static Random Access Memory）２８３等に供給する（電力供給状態）。さらに、画像形成電源部２９は、スリープモードが設定された場合には、制御電力および稼働電力の双方を停止する（電力停止状態）。
【００２０】
なお、画像形成ユニット２以外の制御機能部である画像読取ユニット３、ＵＩユニット４、ＦＡＸユニット５、トレイユニット６、メモリユニット７においても、画像形成ユニット２と同様に電源モードの制御が行われる。すなわち、システム制御ユニット８からの制御信号に従って、上記した電源モードに応じた各機構部および各サブ制御部への電力供給が制御される。
【００２１】
〈画像形成ユニット内部の電力供給系統の説明〉
引き続き、画像形成ユニット２内部の電力供給系統について説明する。
図４は、画像形成ユニット２内部の電力供給系統を説明する図である。図４に示したように、画像形成電源部２９は、電力供給ユニット９からの２４Ｖ電圧の稼動電力を電力ライン１５から供給される。画像形成電源部２９では、電力ライン１５と稼働電力ライン１９とが、第１切換手段の一例としての第１スイッチＳＷ_Ａを介して接続されている。また、電力ライン１５と第１ＤＣ/ＤＣコンバータ２９１および第２ＤＣ/ＤＣコンバータ２９２とが、第３切換手段の一例としての第２スイッチＳＷ_Ｂを介して接続されている。この第１ＤＣ/ＤＣコンバータ２９１は、電力ライン１５から供給される２４Ｖ電圧の稼動電力を５Ｖ電圧の制御電力に変換して制御用電力ライン１８に出力する。第２ＤＣ/ＤＣコンバータ２９２は、電力ライン１５から供給される２４Ｖ電圧の稼動電力を３Ｖ電圧の制御電力に変換して制御用電力ライン１７に出力する。
【００２２】
第１スイッチＳＷ_Ａおよび第２スイッチＳＷ_Ｂのオン/オフは、システム制御ユニット８が設定する電源モードに応じて、制御手段の一例としての画像形成制御部２０が制御する。すなわち、システム制御ユニット８により画像形成ユニット２にジョブモードが設定された場合には、画像形成制御部２０は、第１スイッチＳＷ_Ａおよび第２スイッチＳＷ_Ｂの双方をオンに設定する。また、スタンバイモードが設定された場合には、画像形成制御部２０は、第１スイッチＳＷ_Ａをオフに設定し、第２スイッチＳＷ_Ｂをオンに設定する。さらに、スリープモードが設定された場合には、画像形成制御部２０は、第１スイッチＳＷ_Ａおよび第２スイッチＳＷ_Ｂの双方をオフに設定する。
【００２３】
稼働電力ライン１９は、画像形成ユニット２に備えられた各機構部（画像形成機構部２４、給紙機構部４２、用紙搬送機構部４３）を構成する各構成要素に稼働電力（２４Ｖ）を供給する。例えば、画像形成機構部２４、給紙機構部４２、および用紙搬送機構部４３それぞれに配置された構成要素の一例としての一または複数の駆動モータ２５１を稼働させる稼働電力を、各駆動モータ２５１を駆動するモータ駆動部２５２に供給する。また、画像形成機構部２４、給紙機構部４２、および用紙搬送機構部４３それぞれに配置された構成要素の一例としての一または複数のクラッチ２６１を稼働させる稼働電力を、各クラッチ２６１を駆動するクラッチ駆動部２６２に供給する。さらには、各画像形成モジュール３０に設けられた構成要素の一例としての露光器３３を稼働させる稼働電力を、各露光器３３を駆動する露光駆動部２７２から供給する。
なお、各機構部にはその他にも多くの構成要素が配置されているが、図４では、その代表例として上記の構成要素を取り上げ、他の構成要素についての記載は省略している。しかし、稼働電力の供給が行われる他の構成要素においても、同様にして稼働電力が供給される。
【００２４】
一方、制御用電力ライン１８は、画像形成ユニット２に備えられた画像形成制御部２０や各サブ制御部に配置されたＡＳＩＣ２８１等のＩＣ等に制御電力（５Ｖ）を供給する。
制御用電力ライン１７は、画像形成ユニット２に備えられた画像形成制御部２０や各サブ制御部に配置されたＣＰＵ２８２やＳＲＡＭ２８３等に制御電力（３Ｖ）を供給する。
【００２５】
また、画像形成電源部２９には、各電力ラインを伝送される稼働電力や制御電力の電圧を平滑化するための平滑コンデンサが配置されている。
すなわち、例えば、各モータ駆動部２５２に稼働電力を供給する稼働電力ライン１９の分岐ライン１９_１には、接地（グラウンド）との間に第１電力保持手段の一例としての平滑コンデンサＣ１_１が接続されている。さらには、この分岐ライン１９_１と平滑コンデンサＣ１_１との間には、分岐ライン１９_１と平滑コンデンサＣ１_１との接続をオン/オフする例えばＦＥＴ（Field Effect Transistor）で構成される第２切換手段の一例としての第１コンデンサスイッチＳＷ１_１が配置されている。第１コンデンサスイッチＳＷ１_１としては、ＦＥＴ以外にも、リレーやトランジスタ等が用いられる。また、平滑コンデンサＣ１_１としては、第１電力保持手段の一例としての充電可能な蓄電池を用いてもよい。以下のコンデンサスイッチ、コンデンサも同様である。
また、各クラッチ駆動部２６２に稼働電力を供給する稼働電力ライン１９の分岐ライン１９_２には、接地との間に第１電力保持手段の一例としての平滑コンデンサＣ１_２が接続されている。さらには、この分岐ライン１９_２と平滑コンデンサＣ１_２との間には、分岐ライン１９_２と平滑コンデンサＣ１_２との接続をオン/オフする例えばＦＥＴで構成される第２切換手段の一例としての第２コンデンサスイッチＳＷ１_２が配置されている。
また、各露光駆動部２７２に稼働電力を供給する稼働電力ライン１９の分岐ライン１９_３には、接地との間に第１電力保持手段の一例としての平滑コンデンサＣ１_３が接続されている。さらには、この分岐ライン１９_３と平滑コンデンサＣ１_３との間には、分岐ライン１９_３と平滑コンデンサＣ１_３との接続をオン/オフする例えばＦＥＴで構成される第２切換手段の一例としての第３コンデンサスイッチＳＷ１_３が配置されている。
【００２６】
加えて、制御用電力ライン１８には、接地との間に第２電力保持手段の一例としての平滑コンデンサＣ２が接続されている。さらには、この制御用電力ライン１８と平滑コンデンサＣ２との間には、制御用電力ライン１８と平滑コンデンサＣ２との接続をオン/オフする例えばＦＥＴで構成される第４切換手段の一例としての第４コンデンサスイッチＳＷ２が配置されている。
また、制御用電力ライン１７には、接地との間に第２電力保持手段の一例としての平滑コンデンサＣ３が接続されている。さらには、この制御用電力ライン１７と平滑コンデンサＣ３との間には、制御用電力ライン１７と平滑コンデンサＣ３との接続をオン/オフする例えばＦＥＴで構成される第４切換手段の一例としての第５コンデンサスイッチＳＷ３が配置されている。
【００２７】
第１コンデンサスイッチＳＷ１_１、第２コンデンサスイッチＳＷ１_２、および第３コンデンサスイッチＳＷ１_３、さらには、第４コンデンサスイッチＳＷ２および第５コンデンサスイッチＳＷ３のオン/オフは、システム制御ユニット８が設定する電源モードに応じて、画像形成制御部２０が制御する。
すなわち、システム制御ユニット８により画像形成ユニット２にジョブモードが設定された場合には、画像形成制御部２０は、上記したように、第１スイッチＳＷ_Ａおよび第２スイッチＳＷ_Ｂの双方をオンに設定する。その際に、画像形成制御部２０は、第１スイッチＳＷ_Ａおよび第２スイッチＳＷ_Ｂのオンに対応（同期）させて、第１コンデンサスイッチＳＷ１_１、第２コンデンサスイッチＳＷ１_２、および第３コンデンサスイッチＳＷ１_３をオンに設定する。また、スリープモードから直ちにジョブモードが設定された場合には、画像形成制御部２０は、第４コンデンサスイッチＳＷ２および第５コンデンサスイッチＳＷ３も同様にオンに設定する。
【００２８】
一方、システム制御ユニット８により画像形成ユニット２にスリープモードが設定された場合には、画像形成制御部２０は、上記したように、第１スイッチＳＷ_Ａおよび第２スイッチＳＷ_Ｂの双方をオフに設定する。その際に、画像形成制御部２０は、第１スイッチＳＷ_Ａおよび第２スイッチＳＷ_Ｂのオフに対応（同期）させて、第１コンデンサスイッチＳＷ１_１、第２コンデンサスイッチＳＷ１_２、および第３コンデンサスイッチＳＷ１_３をオフに設定する。また、画像形成制御部２０は、第４コンデンサスイッチＳＷ２および第５コンデンサスイッチＳＷ３も同様にオフに設定する。
【００２９】
また、システム制御ユニット８により画像形成ユニット２がスリープモードからスタンバイモードに移行された場合には、画像形成制御部２０は、第２スイッチＳＷ_Ｂのオンに対応（同期）させて、第４コンデンサスイッチＳＷ２および第５コンデンサスイッチＳＷ３をオンに設定する。一方、スタンバイモードからスリープモードに移行された場合には、画像形成制御部２０は、第２スイッチＳＷ_Ｂのオフに対応（同期）させて、第４コンデンサスイッチＳＷ２および第５コンデンサスイッチＳＷ３をオフに設定する。
【００３０】
このように、第１コンデンサスイッチＳＷ１_１、第２コンデンサスイッチＳＷ１_２、および第３コンデンサスイッチＳＷ１_３のオン/オフは、これらが接続される分岐ライン１９_１,１９_２,１９_３の元となる稼働電力ライン１９に接続された第１スイッチＳＷ_Ａのオン/オフに対応して設定される。また、第４コンデンサスイッチＳＷ２のオン/オフは、これが接続される制御用電力ライン１８に制御電力（５Ｖ）を供給する第１ＤＣ/ＤＣコンバータ２９１への電力供給をオン/オフする第２スイッチＳＷ_Ｂのオン/オフに対応して設定される。また、第５コンデンサスイッチＳＷ３のオン/オフは、これが接続される制御用電力ライン１７に制御電力（３Ｖ）を供給する第２ＤＣ/ＤＣコンバータ２９２への電力供給をオン/オフする第２スイッチＳＷ_Ｂのオン/オフに対応して設定される。
【００３１】
〈画像形成制御部が各スイッチをオンオフ制御する際の処理内容の説明〉
図５は、制御手段の一例としての画像形成制御部２０が各電力ラインおよび各コンデンサに接続された各スイッチをオンオフ制御する際の処理内容の一例を示したフローチャートである。
図５に示したように、画像形成制御部２０は、システム制御ユニット８から画像形成ユニット２への電源モードに関する制御信号を取得する（Ｓ１０１）。ここでは、画像形成制御部２０は、画像形成ユニット２に設定される電源モード（動作状態）に関する情報を取得する取得手段としても機能する。
システム制御ユニット８からの制御信号が画像形成ユニット２にジョブモードを設定するものであった場合には（Ｓ１０２でＹｅｓ）、画像形成制御部２０は、第１スイッチＳＷ_Ａおよび第２スイッチＳＷ_Ｂの双方をオンに設定する（Ｓ１０３）。そして、画像形成制御部２０は、第１スイッチＳＷ_Ａおよび第２スイッチＳＷ_Ｂのオンに同期させて、第１コンデンサスイッチＳＷ１_１、第２コンデンサスイッチＳＷ１_２、および第３コンデンサスイッチＳＷ１_３をオンに設定する（Ｓ１０４）。また、スリープモードから直ちにジョブモードが設定された場合には、画像形成制御部２０は、第４コンデンサスイッチＳＷ２および第５コンデンサスイッチＳＷ３も同様にオンに設定する（Ｓ１０５）。
【００３２】
一方、システム制御ユニット８からの制御信号が画像形成ユニット２にスタンバイモードを設定するものであった場合には（Ｓ１０２でＮｏ、Ｓ１０６でＹｅｓ）、第２スイッチＳＷ_Ｂをオンに設定し、第１スイッチＳＷ_Ａをオフに設定する（Ｓ１０７）。そして、画像形成制御部２０は、第２スイッチＳＷ_Ｂのオンに同期させて、第４コンデンサスイッチＳＷ２および第５コンデンサスイッチＳＷ３をオンに設定する（Ｓ１０８）。
さらに、システム制御ユニット８からの制御信号が画像形成ユニット２にスリープモードを設定するものであった場合には（Ｓ１０２でＮｏ、Ｓ１０６でＮｏ）、画像形成制御部２０は、第１スイッチＳＷ_Ａおよび第２スイッチＳＷ_Ｂの双方をオフに設定する（Ｓ１０９）。そして、画像形成制御部２０は、第１スイッチＳＷ_Ａおよび第２スイッチＳＷ_Ｂのオフに同期させて、第１コンデンサスイッチＳＷ１_１、第２コンデンサスイッチＳＷ１_２、および第３コンデンサスイッチＳＷ１_３をオフに設定する（Ｓ１１０）。さらに、画像形成制御部２０は、第４コンデンサスイッチＳＷ２および第５コンデンサスイッチＳＷ３も同様にオフに設定する（Ｓ１１１）。
【００３３】
上記のように、本実施の形態の画像形成ユニット２では、稼働電力ライン１９の分岐ライン１９_１,１９_２,１９_３それぞれに接続された平滑コンデンサＣ１_１,Ｃ１_２,Ｃ１_３それぞれに、第１コンデンサスイッチＳＷ１_１、第２コンデンサスイッチＳＷ１_２、および第３コンデンサスイッチＳＷ１_３を接続する。そして、画像形成ユニット２に設定された動作モードに応じて、第１コンデンサスイッチＳＷ１_１、第２コンデンサスイッチＳＷ１_２、および第３コンデンサスイッチＳＷ１_３をオン/オフする。それにより、以下で説明するメカニズムによって、各分岐ライン１９_１,１９_２,１９_３を伝送される稼動電力の電圧が２４Ｖに立ち上がるまでの時間や０Ｖに立ち下がるまでの時間の短縮を図っている。さらには、制御用電力ライン１８を伝送される制御電力の電圧が５Ｖに立ち上がるまでの時間や０Ｖに立ち下がるまでの時間の短縮を図っている。また、制御用電力ライン１７を伝送される制御電力の電圧が３Ｖに立ち上がるまでの時間や０Ｖに立ち下がるまでの時間の短縮を図っている。
【００３４】
さらには、制御用電力ライン１８に接続された平滑コンデンサＣ２に第４コンデンサスイッチＳＷ２を接続して、画像形成ユニット２に設定された動作モードに応じて、第４コンデンサスイッチＳＷ２をオン/オフする。また、制御用電力ライン１７に接続された平滑コンデンサＣ３に第５コンデンサスイッチＳＷ３を接続して、画像形成ユニット２に設定された動作モードに応じて、第５コンデンサスイッチＳＷ３をオン/オフする。それにより、制御用電力ライン１８を伝送される制御電力の電圧が５Ｖに立ち上がるまでの時間や０Ｖに立ち下がるまでの時間、また、制御用電力ライン１７を伝送される制御電力の電圧が３Ｖに立ち上がるまでの時間や０Ｖに立ち下がるまでの時間を、さらに短縮している。
【００３５】
〈稼働電力や制御電力の立ち上がり時間や立ち下がり時間の短縮メカニズムの説明〉
ここで、各電力ラインを伝送される稼働電力や制御電力の電圧が目標値に立ち上がるまでの時間や０Ｖに立ち下がるまでの時間が短縮されるメカニズムを説明する。
図６は、各電力ラインを伝送される稼働電力および制御電力における電圧の立ち上がりおよび立ち下がりを説明する図である。
図６を用いて、まず稼働電力の電圧が目標値である２４Ｖに立ち上がるまでの時間について説明する。
上記した図４に示したように、稼働電力ライン１９には、画像形成ユニット２に備えられた各機構部（画像形成機構部２４、給紙機構部４２、用紙搬送機構部４３）を構成する構成要素、例えば、複数の駆動モータ２５１をそれぞれ駆動する各モータ駆動部２５２、複数のクラッチ２６１をそれぞれ駆動する各クラッチ駆動部２６２、複数の露光器３３をそれぞれ駆動する各露光駆動部２７２等が接続されている。これらの構成要素には、比較的大きな負荷変動が発生することから、それに対応して生じる電圧値の変動を低減する必要がある。そのために、各構成要素に稼働電力を供給する例えば分岐ライン１９_１,１９_２,１９_３それぞれに接続される平滑コンデンサＣ１_１,Ｃ１_２,Ｃ１_３には、例えば１００μＦという静電容量の大きなコンデンサが用いられる。それにより、稼働電力ライン１９全体としての時定数τ（＝ＲＣ）が大きくなる。ここでのＲは稼働電力ライン１９全体の抵抗、Ｃは稼働電力ライン１９全体の静電容量である。
【００３６】
このように、稼働電力ライン１９全体としての時定数τが大きいために、平滑コンデンサＣ１_１,Ｃ１_２,Ｃ１_３が分岐ライン１９_１,１９_２,１９_３それぞれに常時接続される構成では、図６のＬｉｎｅ_１に示すように、例えば第１スイッチＳＷ_Ａ（２４Ｖスイッチ）をオン（ＯＮ）に切り換えてから（図６の時間Ｔ０）、目標値である２４Ｖに立ち上がるまでの時間（立ち上がり時間）は、図６の時間Ｔ６と長くなる。なお、以下では、便宜上Ｔ０＝０（基準時間）とする。
また、稼働電力ライン１９の立ち上がり時間が長いために、稼働電力ライン１９の電圧が５Ｖに到達するまでの時間も長くなり、２４Ｖ電圧の電力を５Ｖ電圧の制御電力に変換して出力する第１ＤＣ/ＤＣコンバータ２９１が５Ｖ電圧の制御電力（図６のＬｉｎｅ_２）を出力できるまでの時間（図６の時間Ｔ３）も長くなる。同様に、２４Ｖ電圧の電力を３Ｖ電圧の制御電力に変換して出力する第２ＤＣ/ＤＣコンバータ２９２が３Ｖ電圧の制御電力（図６のＬｉｎｅ_３）を出力できるまでの時間（図６の時間Ｔ２）も長くなる。
それにより、例えば画像形成ユニット２をスリープモードからジョブモードに復帰させる際に、画像形成制御部２０がシステム制御ユニット８から復帰指示信号を受けてから画像形成ユニット２内に設けられた各機構部や各サブ制御部、さらには画像形成制御部２０自身が実際にジョブモードに復帰するまでの待機時間が長くなる。
【００３７】
それに対して、本実施の形態の画像形成ユニット２では、稼働電力ライン１９の分岐ライン１９_１,１９_２,１９_３それぞれに接続された平滑コンデンサＣ１_１,Ｃ１_２,Ｃ１_３それぞれに、第１コンデンサスイッチＳＷ１_１、第２コンデンサスイッチＳＷ１_２、および第３コンデンサスイッチＳＷ１_３を接続する。そして、画像形成ユニット２に設定された動作モードに応じて、第１コンデンサスイッチＳＷ１_１、第２コンデンサスイッチＳＷ１_２、および第３コンデンサスイッチＳＷ１_３をオン/オフする。
それにより、例えば稼働電力ライン１９からの稼働電力の供給が第１スイッチＳＷ_Ａによりオフされるタイミングに同期させて、第１コンデンサスイッチＳＷ１_１、第２コンデンサスイッチＳＷ１_２、および第３コンデンサスイッチＳＷ１_３をオフすることで、平滑コンデンサＣ１_１,Ｃ１_２,Ｃ１_３それぞれには電荷が残存される。それによって、次に稼働電力ライン１９からの稼働電力の供給がオンされる際には、平滑コンデンサＣ１_１,Ｃ１_２,Ｃ１_３それぞれに残存している電荷により、稼働電力ライン１９に供給される稼働電力は、オフセット電圧（残留電圧）を持った状態から目標値である２４Ｖへの立ち上がりを開始する。
そのため、例えば画像形成ユニット２をスリープモードからジョブモードに復帰させる際に、画像形成制御部２０がシステム制御ユニット８から復帰指示信号を受けてから画像形成ユニット２内に設けられた各機構部や各サブ制御部、さらには画像形成制御部２０自身が実際にジョブモードに復帰するまでの待機時間が短縮される。
【００３８】
この場合に、平滑コンデンサＣ１_１,Ｃ１_２,Ｃ１_３それぞれに残存している電荷は、前回、第１コンデンサスイッチＳＷ１_１、第２コンデンサスイッチＳＷ１_２、および第３コンデンサスイッチＳＷ１_３がオフされてからの経過時間に応じて減衰する。そのため、第１コンデンサスイッチＳＷ１_１、第２コンデンサスイッチＳＷ１_２、および第３コンデンサスイッチＳＷ１_３がオフされてからの経過時間により、平滑コンデンサＣ１_１,Ｃ１_２,Ｃ１_３の残留電圧も異なっている。
【００３９】
例えば、図６に示したＬｉｎｅ_４では、前回の第１コンデンサスイッチＳＷ１_１、第２コンデンサスイッチＳＷ１_２、および第３コンデンサスイッチＳＷ１_３がオフされてからの経過時間が比較的短く、５Ｖよりも大きな残留電圧Ａが平滑コンデンサＣ１_１,Ｃ１_２,Ｃ１_３それぞれに残存している場合を示している。この場合には、稼働電力ライン１９に供給される稼働電力は、５Ｖよりも大きな残留電圧Ａから目標値である２４Ｖへの立ち上がりを開始する。そのため、例えば第１スイッチＳＷ_Ａ（２４Ｖスイッチ）をオンに切り換えてから２４Ｖまでの立ち上がり時間は、図６の時間Ｔ４と短くなる。
さらには、ジョブモードの設定時に第１スイッチＳＷ_Ａおよび第２スイッチＳＷ_Ｂがオンに切り換えられた場合に、稼動電力が５Ｖよりも大きな残留電圧Ａからの立ち上がりを開始するため、第１ＤＣ/ＤＣコンバータ２９１は直ちに５Ｖ電圧の制御電力を出力し（図６の時間Ｔ０）、第２ＤＣ/ＤＣコンバータ２９２も直ちに３Ｖ電圧の制御電力を出力する（図６の時間Ｔ０）。
【００４０】
また、例えば、図６に示したＬｉｎｅ_５では、前回の第１コンデンサスイッチＳＷ１_１、第２コンデンサスイッチＳＷ１_２、および第３コンデンサスイッチＳＷ１_３がオフされてからの経過時間が比較的長く、３Ｖから５Ｖの間の電圧の残留電圧Ｂが平滑コンデンサＣ１_１,Ｃ１_２,Ｃ１_３それぞれに残存している場合を示している。この場合には、稼働電力ライン１９に供給される稼働電力は、３Ｖから５Ｖの間の残留電圧Ｂから目標値である２４Ｖへの立ち上がりを開始する。そのため、例えば第１スイッチＳＷ_Ａ（２４Ｖスイッチ）をオンに切り換えてから２４Ｖまでの立ち上がり時間は、図６の時間Ｔ５と短くなる。
さらには、ジョブモードの設定時に第１スイッチＳＷ_Ａおよび第２スイッチＳＷ_Ｂがオンに切り換えられた場合に、稼動電力が３Ｖと５Ｖとの間の残留電圧Ｂからの立ち上がりを開始するため、第１ＤＣ/ＤＣコンバータ２９１が５Ｖ電圧の制御電力（図６のＬｉｎｅ_６）を出力するまでの時間が短縮される（図６の時間Ｔ１）。また、稼動電力が３Ｖよりも大きな残留電圧Ｂからの立ち上がりを開始するため、第２ＤＣ/ＤＣコンバータ２９２も直ちに３Ｖ電圧の制御電力を出力する（図６の時間Ｔ０）。
【００４１】
これに加えて、例えば稼働電力ライン１９からの稼働電力の供給が第２スイッチＳＷ_Ｂによりオフされるタイミングに同期させて、第４コンデンサスイッチＳＷ２および平滑コンデンサＣ２それぞれには電荷が残存される。それによって、次に稼働電力ライン１９からの稼働電力の供給が第２スイッチＳＷ_Ｂによりオンされる際には、第４コンデンサスイッチＳＷ２および平滑コンデンサＣ２それぞれに残存している電荷により、制御用電力ライン１７,１８に供給される制御電力は、オフセット電圧（残留電圧）を持った状態から目標値である５Ｖや３Ｖへの立ち上がりを開始する。
そのため、第１ＤＣ/ＤＣコンバータ２９１が５Ｖ電圧の制御電力を出力するまでの時間や、第２ＤＣ/ＤＣコンバータ２９２が３Ｖ電圧の制御電力を出力するまでの時間がさらに短縮される。
【００４２】
次に、図６を用いて、稼働電力の電圧が２４Ｖから０Ｖに立ち下がるまでの時間について説明する。
上記したように、稼働電力ライン１９全体としての時定数τ（＝ＲＣ）が大きいために、平滑コンデンサＣ１_１,Ｃ１_２,Ｃ１_３が分岐ライン１９_１,１９_２,１９_３それぞれに常時接続される構成では、図６のＬｉｎｅ_７に示すように、例えば第１スイッチＳＷ_Ａ（２４Ｖスイッチ）をオフに切り換えてから（図６の時間Ｔ７）、２４Ｖから０Ｖに立ち下がるまでの時間（立ち下がり時間）は、図６の時間（Ｔ１３−Ｔ７）と長くなる。
また、稼働電力ライン１９の立ち下がり時間が長いために、稼働電力ライン１９の電圧が５Ｖ以下の電圧に減衰するまでの時間も長くなり、第１ＤＣ/ＤＣコンバータ２９１が５Ｖ電圧の制御電力（図６のＬｉｎｅ_８）を出力継続する時間（図６の時間（Ｔ１１−Ｔ７））も長くなる。同様に、第２ＤＣ/ＤＣコンバータ２９２が３Ｖ電圧の制御電力（図６のＬｉｎｅ_９）を出力継続する時間（図６の時間（Ｔ１２−Ｔ７））も長くなる。
それにより、例えば画像形成ユニット２をスリープモードに設定しても、画像形成制御部２０がシステム制御ユニット８からスリープモード設定指示信号を受けてから画像形成ユニット２内に設けられた各機構部や各サブ制御部、さらには画像形成制御部２０自身が実際にスリープモードに設定されるまでの待機時間が長くなる。
【００４３】
そのため、画像形成制御部２０がシステム制御ユニット８からスリープモード設定指示信号を受けても、時間（Ｔ１２−Ｔ７）の間は第２ＤＣ/ＤＣコンバータ２９２が３Ｖ電圧の制御電力を出力継続する。それにより、各サブ制御部や画像形成制御部２０に設けられたＳＲＡＭ２８３（図４参照）に記憶されたデータが少なくとも時間（Ｔ１２−Ｔ７）の間はクリアされない。そのために、スリープモード設定指示信号の受信の直後に、システム制御ユニット８が画像形成制御部２０にスリープモードからの復帰指示信号を送信しても、少なくとも時間（Ｔ１２−Ｔ７）の間は、各サブ制御部や画像形成制御部２０が初期設定のためのデータをＳＲＡＭ２８３に新たに読み込めず、初期設定を行えない。それによって、各サブ制御部や画像形成制御部２０、さらには各機構部がスリープモードからジョブモードに復帰するまでの待機時間が長くなる。
【００４４】
それに対して、本実施の形態の画像形成ユニット２では、例えば稼働電力ライン１９からの稼働電力の供給が第１スイッチＳＷ_Ａによりオフされるタイミングに同期させて、第１コンデンサスイッチＳＷ１_１、第２コンデンサスイッチＳＷ１_２、および第３コンデンサスイッチＳＷ１_３をオフする。そのため、稼働電力ライン１９全体としての時定数τが小さくなり、図６のＬｉｎｅ_１０に示すように、２４Ｖから０Ｖに立ち下がるまでの立ち下がり時間が図６の時間（Ｔ１０−Ｔ７）と短縮される。それにより、第２ＤＣ/ＤＣコンバータ２９２が３Ｖ電圧の制御電力（図６のＬｉｎｅ_１１）を出力継続する時間も図６の時間（Ｔ９−Ｔ７）と短縮される。同様に、第１ＤＣ/ＤＣコンバータ２９１が５Ｖ電圧の制御電力（図６のＬｉｎｅ_１２）を出力継続する時間も図６の時間（Ｔ８−Ｔ７）と短縮される。
そのため、画像形成制御部２０がシステム制御ユニット８からスリープモード設定指示信号を受けた場合には、時間（Ｔ９−Ｔ７）で第２ＤＣ/ＤＣコンバータ２９２が３Ｖ電圧の制御電力の出力を停止するため、各サブ制御部や画像形成制御部２０に設けられたＳＲＡＭ２８３（図４参照）に記憶されたデータが短時間にクリアされる。それにより、画像形成ユニット２において、スリープモード設定指示信号の受信の直後にシステム制御ユニット８が画像形成制御部２０にスリープモードからの復帰指示信号を送信した場合には、短時間で初期設定が行われ、スリープモードからジョブモードに復帰するまでの待機時間が短縮される。
【００４５】
これに加えて、例えば稼働電力ライン１９からの稼働電力の供給が第２スイッチＳＷ_Ｂによりオフされるタイミングに同期させて、第４コンデンサスイッチＳＷ２および平滑コンデンサＣ２をオフする。それによって、制御用電力ライン１７全体および制御用電力ライン１８全体としての時定数τも小さくなるので、第２ＤＣ/ＤＣコンバータ２９２が３Ｖ電圧の制御電力を出力継続する時間、すなわち図６の時間（Ｔ９−Ｔ７）がさらに短縮される。同様に、第１ＤＣ/ＤＣコンバータ２９１が５Ｖ電圧の制御電力を出力継続する図６の時間（Ｔ８−Ｔ７）もさらに短縮される。
【００４６】
なお、ここでは、画像形成ユニット２を例に説明したが、他のユニットにおいても同様である。
また、ここでは、スリープモードとジョブモードとの移行時を例に説明したが、スタンバイモードとジョブモードとの移行時も同様である。
【００４７】
〈稼働電力が立ち上がり時間を有することに対する初期設定時の補正の説明〉
上記したように、本実施の形態の画像形成ユニット２では、例えば稼働電力ライン１９からの稼働電力の供給が第１スイッチＳＷ_Ａによりオフされるタイミングに対応（同期）させて、第１コンデンサスイッチＳＷ１_１、第２コンデンサスイッチＳＷ１_２、および第３コンデンサスイッチＳＷ１_３をオフすることで、稼働電力の停止（オフ）後に平滑コンデンサＣ１_１,Ｃ１_２,Ｃ１_３それぞれに電荷を残存させている。それによって、次に稼働電力ライン１９からの稼働電力の供給がオンされる際には、平滑コンデンサＣ１_１,Ｃ１_２,Ｃ１_３それぞれに残存している電荷が利用されて、稼働電力ライン１９に供給される稼働電力に関する２４Ｖへの立ち上がり時間の短縮が図られる。
【００４８】
そこで、本実施の形態の画像形成ユニット２においては、平滑コンデンサＣ１_１,Ｃ１_２,Ｃ１_３の残留電圧が予め定めた電圧（例えば、残留電圧Ａ）以上であると想定して、画像形成制御部２０がシステム制御ユニット８から復帰指示信号を受けた場合に画像形成ユニット２での初期化処理の一例である初期設定を開始する時間（タイミング：例えば、時間Ｔ４）を、稼働電力ライン１９からの稼働電力の２４Ｖへの立ち上がり時間の短縮に対応させて定めている。それにより、スリープモードからの復帰時間の短縮を図っている。ここでは、画像形成制御部２０およびサブ制御部が初期化処理を実行する初期化処理手段として機能する。
【００４９】
ところが、上記したように、平滑コンデンサＣ１_１,Ｃ１_２,Ｃ１_３の残留電圧は、第１コンデンサスイッチＳＷ１_１、第２コンデンサスイッチＳＷ１_２、および第３コンデンサスイッチＳＷ１_３がオフされてからの経過時間により異なる。そのため、例えば、図６の時間Ｔ４では、平滑コンデンサＣ１_１,Ｃ１_２,Ｃ１_３の残留電圧が残留電圧Ａであった場合（図６のＬｉｎｅ_４）には、稼働電力ライン１９からの稼働電力は、目標値である２４Ｖに到達している。しかし、残留電圧が残留電圧Ｂであった場合（図６のＬｉｎｅ_５）には、残留電圧Ａであった場合に２４Ｖに到達した時間Ｔ４の時点で、稼働電力ライン１９からの稼働電力は、２４Ｖよりも低い電圧Ｖｒ１である。さらには、残留電圧が０であった場合（図６のＬｉｎｅ_１）には、残留電圧Ａであった場合に２４Ｖに到達した時間Ｔ４の時点で、稼働電力ライン１９からの稼働電力は、２４Ｖよりも低い電圧Ｖｒ２である。
【００５０】
そのため、スリープモードからの復帰時間を短縮するように画像形成ユニット２にて初期設定を開始する時間（例えば、時間Ｔ４）を設定した場合に、平滑コンデンサＣ１_１,Ｃ１_２,Ｃ１_３の残留電圧が残留電圧Ａであった場合には、初期設定の開始時間（時間Ｔ４）にて稼動電力が２４Ｖに達していることから、予定された初期設定が実行される。ところが、平滑コンデンサＣ１_１,Ｃ１_２,Ｃ１_３の残留電圧が残留電圧Ａよりも低い例えば残留電圧Ｂであった場合には、初期設定の開始時間（時間Ｔ４）での稼動電力が２４Ｖに達しないことから、初期設定の対象となる構成要素に予め定めた状態量（例えば、露光器３３での光量等）が設定されない。そのため、各構成要素に関する予定された初期設定が実行できない。それにより、画像形成ユニット２での初期設定を開始する時点を予め設定した場合には、例えば画像形成ユニット２での初期設定の一例である画像濃度調整により設定されるべきＹＭＣＫの濃度にずれが生じ、画像不良が生じる場合がある。
【００５１】
そこで、本実施の形態の画像形成ユニット２では、画像形成制御部２０がシステム制御ユニット８から復帰指示信号を受けた場合に画像形成ユニット２での初期設定を開始する時間（例えば、時間Ｔ４）にて、稼働電力ライン１９からの稼働電力が２４Ｖに到達しているか否かを判定する。すなわち、ここでは、画像形成制御部２０が稼働電力が予め定めた電圧（２４Ｖ）に到達しているか否かを判定する判定手段として機能する。
そして、稼働電力ライン１９からの稼働電力が２４Ｖに到達していないと判定された場合には、初期設定を開始する時間での稼働電力ライン１９からの稼働電力を推測する。そして、画像形成ユニット２での画像形成時には、推測された稼働電力に対応させて初期設定にて各構成要素に設定された設定値の補正を行う。一方、稼働電力ライン１９からの稼働電力が２４Ｖに到達していると判定された場合には、このような補正を行わない。ここでは、画像形成制御部２０が設定値の補正を行う補正手段として機能する。
それにより、画像形成制御部２０がシステム制御ユニット８から復帰指示信号を受けた場合には、予め定めた時間に画像形成ユニット２は初期設定を開始するので、スリープモードからの復帰時間が短縮される。また、初期設定の開始時点で稼働電力ライン１９からの稼働電力が２４Ｖに到達していないと判定される場合には、想定される稼働電力に対応させて初期設定にて設定された各構成要素の設定値について補正を行うので、画像形成ユニット２での画像形成時において画像不良の発生が抑制される。
【００５２】
ここで、本実施の形態の画像形成ユニット２では、初期設定の開始時間に稼働電力ライン１９からの稼働電力が２４Ｖに到達しているか否かの判定、および２４Ｖに到達していない場合に初期設定にて設定された各構成要素の設定値についての補正量の算出は、他の制御機能部（ユニット）である例えば画像読取ユニット３に配置された照明ランプの光量に基づいて行う。そこで、以下に画像読取ユニット３について説明する。
【００５３】
〈画像読取ユニットの説明〉
図７は、画像読取ユニット３の機能構成を説明する図である。制御機能部である画像読取ユニット３は、画像読取ユニット３の全体を制御する画像読取制御部３００を備えている。また、各機構部（ＣＣＤイメージセンサ３０５、照明ランプ３０６、キャリッジ搬送機構部３０７、原稿搬送機構部３０８）を個別に制御するサブ制御部として、ＣＣＤイメージセンサ３０５を制御する構成要素制御手段の一例としてのＣＣＤ制御部３０１、照明ランプ３０６を制御するランプ制御部３０２、キャリッジ搬送機構部３０７を制御する構成要素制御手段の一例としての走査制御部３０３、および原稿搬送機構部３０８を制御する構成要素制御手段の一例としての原稿搬送制御部３０４を備えている。また、電源部として、画像読取ユニット３内に電力を供給する画像読取電源部３０９を備えている。
画像読取制御部３００は、機内ＬＡＮ１３により接続されたシステム制御ユニット８からの制御信号に従って、ユニット内ＬＡＮ１６により接続された各サブ制御部（ＣＣＤ制御部３０１、ランプ制御部３０２、走査制御部３０３、原稿搬送制御部３０４）および画像読取電源部３０９を制御する。
【００５４】
画像読取電源部３０９は、電力供給ユニット９から常夜電源として予め定めた電圧（２４Ｖ）の稼働電力が電力ライン１５を介して常時供給される。そして、画像読取電源部３０９は、システム制御ユニット８の指示に従って画像読取制御部３００が設定する電源モードに応じて、各機構部および各サブ制御部への電力供給を制御する。
すなわち、画像読取電源部３０９は、ジョブモードが設定された場合に、電力ライン１５を介して供給される２４Ｖ電圧の稼働電力を、稼働電力ライン１９を介して各機構部に供給する（電力供給状態）。また、画像読取電源部３０９は、スタンバイモードが設定された場合に、第１ＤＣ/ＤＣコンバータ３９１（後段の図８参照）により５Ｖに低電圧化した制御電力を、制御用電力ライン１８を介して画像読取制御部３００や各サブ制御部に配置されたＡＳＩＣ３４１等のＩＣ等に供給する（電力供給状態）。また同様に、スタンバイモードが設定された場合に、第２ＤＣ/ＤＣコンバータ３９２（後段の図８参照）により３Ｖに低電圧化した制御電力を、制御用電力ライン１７を介して画像読取制御部３００や各サブ制御部のＣＰＵ３４２やＳＲＡＭ３４３等に供給する（電力供給状態）。さらに、画像読取電源部３０９は、スリープモードが設定された場合には、制御電力および稼働電力の双方を停止する（電力停止状態）。
【００５５】
〈画像読取ユニット内部の電力供給系統の説明〉
引き続き、画像読取ユニット３内部の電力供給系統について説明する。
図８は、画像読取ユニット３内部の電力供給系統を説明する図である。図８に示したように、画像読取ユニット３内部の電力供給系統に関する基本構成は図４に示した画像形成ユニット２と同様である。ただし、稼働電力線の一例としての稼働電力ライン１９は、画像読取ユニット３に備えられた各機構部（ＣＣＤイメージセンサ３０５、照明ランプ３０６、キャリッジ搬送機構部３０７、原稿搬送機構部３０８）を構成する各構成要素に稼働電力（２４Ｖ）を供給する。例えば、キャリッジ搬送機構部３０７および原稿搬送機構部３０８それぞれに配置された構成要素の一例としての一または複数の駆動モータ３１１を稼働させる稼働電力を、各駆動モータ３１１を駆動するモータ駆動部３１２から供給する。また、キャリッジ搬送機構部３０７および原稿搬送機構部３０８それぞれに配置された構成要素の一例としての一または複数のクラッチ３２１を稼働させる稼働電力を、クラッチ３２１を駆動するクラッチ駆動部３２２から供給する。さらには、構成要素の一例としての照明ランプ３０６を稼働させる稼働電力を、照明ランプ３０６を駆動する照明駆動部３３２から供給する。
なお、各機構部にはその他にも多くの構成要素が配置されているが、図８では、その代表例として上記の構成要素を取り上げ、他の構成要素についての記載は省略している。しかし、稼働電力の供給が行われる他の構成要素においても、同様にして稼働電力が供給される。
【００５６】
制御用電力ライン１８は、画像読取ユニット３に備えられた画像読取制御部３００や各サブ制御部に配置されたＡＳＩＣ３４１等のＩＣ等に制御電力（５Ｖ）を供給する。
制御用電力ライン１７は、画像読取ユニット３に備えられた画像読取制御部３００や各サブ制御部に配置されたＣＰＵ３４２やＳＲＡＭ３４３等に制御電力（３Ｖ）を供給する。
【００５７】
また、画像読取電源部３０９の稼働電力ライン１９では、例えば、各駆動モータ３１１に稼働電力を供給する分岐ライン１９_１には、接地（グラウンド）との間に第１電力保持手段の一例としての平滑コンデンサＣ４_１が接続されている。さらには、この分岐ライン１９_１と平滑コンデンサＣ４_１との間には、分岐ライン１９_１と平滑コンデンサＣ４_１との接続をオン/オフする例えばＦＥＴ（Field Effect Transistor）で構成される第２切換手段の一例としての第６コンデンサスイッチＳＷ４_１が配置されている。第６コンデンサスイッチＳＷ４_１としては、ＦＥＴ以外にも、リレーやトランジスタ等が用いられる。以下のコンデンサスイッチも同様である。
また、各クラッチ駆動部３２２に稼働電力を供給する分岐ライン１９_２には、接地との間に第１電力保持手段の一例としての平滑コンデンサＣ４_２が接続されている。さらには、この分岐ライン１９_２と平滑コンデンサＣ４_２との間には、分岐ライン１９_２と平滑コンデンサＣ４_２との接続をオン/オフする例えばＦＥＴで構成される第２切換手段の一例としての第７コンデンサスイッチＳＷ４_２が配置されている。
また、照明駆動部３３２に稼働電力を供給する分岐ライン１９_３には、接地との間に第１電力保持手段の一例としての平滑コンデンサＣ４_３が接続されている。さらには、この分岐ライン１９_３と平滑コンデンサＣ４_３との間には、分岐ライン１９_３と平滑コンデンサＣ４_３との接続をオン/オフする例えばＦＥＴで構成される第２切換手段の一例としての第８コンデンサスイッチＳＷ４_３が配置されている。
【００５８】
加えて、制御用電力ライン１８には、接地との間に第２電力保持手段の一例としての平滑コンデンサＣ５が接続されている。さらには、この制御用電力ライン１８と平滑コンデンサＣ５との間には、制御用電力ライン１８と平滑コンデンサＣ５との接続をオン/オフする例えばＦＥＴで構成される第４切換手段の一例としての第９コンデンサスイッチＳＷ５が配置されている。
また、制御用電力ライン１７には、接地との間に第２電力保持手段の一例としての平滑コンデンサＣ６が接続されている。さらには、この制御用電力ライン１７と平滑コンデンサＣ６との間には、制御用電力ライン１７と平滑コンデンサＣ６との接続をオン/オフする例えばＦＥＴで構成される第４切換手段の一例としての第１０コンデンサスイッチＳＷ６が配置されている。
【００５９】
第６コンデンサスイッチＳＷ４_１、第７コンデンサスイッチＳＷ４_２、および第８コンデンサスイッチＳＷ４_３、さらには、第９コンデンサスイッチＳＷ５および第１０コンデンサスイッチＳＷ６のオン/オフは、システム制御ユニット８が設定する電源モードに応じて、制御手段の一例としての画像読取制御部３００が制御する。制御の詳細については、図５のフローチャートに示した画像形成ユニット２の画像形成制御部２０による場合と同様である。
それにより、画像読取ユニット３においても、各分岐ライン１９_１,１９_２,１９_３を伝送される稼動電力の電圧が２４Ｖに立ち上がるまでの時間や０Ｖに立ち下がるまでの時間の短縮を図っている。さらには、制御用電力ライン１８を伝送される制御電力の電圧が５Ｖに立ち上がるまでの時間や０Ｖに立ち下がるまでの時間の短縮を図っている。また、制御用電力ライン１７を伝送される制御電力の電圧が３Ｖに立ち上がるまでの時間や０Ｖに立ち下がるまでの時間の短縮を図っている。
【００６０】
このような画像読取ユニット３では、原稿を搬送する原稿搬送機構部３０８によって原稿が載せられるプラテンガラス（不図示）に原稿が搬送される。そして、原稿が載せられたプラテンガラスの全体に亘って走査（スキャン）して画像を読み込むキャリッジ搬送機構部３０７によって、原稿を走査する。このキャリッジ搬送機構部３０７には、原稿に光を照射する照明ランプ３０６や、原稿から得られた反射光を受光して反射するミラー等（不図示）が備えられる。キャリッジ搬送機構部３０７による原稿の走査により原稿から得られた反射光は、ミラーや光学像を光学的に縮小する結像レンズ等の光学系（不図示）によって光電変換素子であるＣＣＤ（Charge Coupled Device）イメージセンサ３０５に結像される。このＣＣＤイメージセンサ３０５によって得られた画像信号は、ＣＣＤ制御部３０１を介して画像読取制御部３００に送られる。
【００６１】
ここで、画像読取ユニット３においてシステム制御ユニット８から復帰指示信号を受けた場合に画像読取ユニット３が行う初期設定の一例として、照明ランプ３０６の光量調整がある。この照明ランプ３０６の光量調整では、稼働電力ライン１９から供給される稼働電力により照明ランプ３０６を発光させ、それをプラテンガラスの近傍に配置した基準白色板に照射させて、その反射光の光量をＣＣＤイメージセンサ３０５にて読み取る。その際の基準白色板からの反射光量の読取タイミングは、画像形成ユニット２での画像形成制御部２０がシステム制御ユニット８から復帰指示信号を受けた場合に画像形成ユニット２での初期設定を開始する時間（例えば、時間Ｔ４）と一致させておく。そして、ＣＣＤイメージセンサ３０５にて読み取った反射光量データを画像読取制御部３００がＣＣＤ制御部３０１から取得する。その場合に、画像読取制御部３００は、稼働電力ライン１９から供給される稼働電力の電圧値とＣＣＤ制御部３０１から得られる反射光量との関係を反射光量データテーブルとして記憶している。
それにより、画像読取制御部３００は、反射光量データテーブルを参照することで、ＣＣＤイメージセンサ３０５にて読み取った基準白色板からの反射光量により、画像読取ユニット３の稼働電力ライン１９から供給される稼働電力の電圧値を推測する。
そして、画像読取制御部３００は、機内ＬＡＮ１３を介して画像形成ユニット２の画像形成制御部２０に、画像読取ユニット３での稼働電力の電圧推測値データを送信する。
【００６２】
画像形成ユニット２では、画像形成制御部２０が画像読取ユニット３の画像読取制御部３００から画像読取ユニット３での稼働電力の電圧推測値データを取得する。この場合に、画像形成制御部２０が取得した稼働電力の電圧推測値データは、画像読取ユニット３の稼働電力ライン１９でのものではあるが、画像形成ユニット２に用いられる平滑コンデンサＣ１_１,Ｃ１_２,Ｃ１_３での電圧減衰率と、画像読取ユニット３に用いられる平滑コンデンサＣ４_１,Ｃ４_２,Ｃ４_３での電圧減衰率とは、同程度であると想定してもよい。そのため、画像形成ユニット２と画像読取ユニット３とにおいてスリープモードへの移行時間が同じであれば、画像形成ユニット２の平滑コンデンサＣ１_１,Ｃ１_２,Ｃ１_３での残留電圧と、画像読取ユニット３の平滑コンデンサＣ４_１,Ｃ４_２,Ｃ４_３での残留電圧とは同程度であると想定できる。そして、画像読取ユニット３での稼働電力の電圧推測値は、画像形成ユニット２が初期設定を開始する時間における画像形成ユニット２での稼働電力の電圧値とほぼ一致すると想定できる。
そこで、画像形成ユニット２の画像形成制御部２０は、画像読取ユニット３から取得した稼働電力の電圧推測値を、画像形成ユニット２が初期設定を開始する時間における画像形成ユニット２での稼働電力の電圧値と想定する。そして、画像読取ユニット３から取得した稼働電力の電圧推測値が２４Ｖよりも低い場合には、画像形成ユニット２が初期設定を開始する時間における画像形成ユニット２での稼働電力の電圧値も２４Ｖよりも低いと判定する。
【００６３】
初期設定時の画像形成ユニット２での稼働電力の電圧値が２４Ｖよりも低いと判定した場合には、画像形成制御部２０は、初期設定の一例として行った画像濃度調整が、画像読取ユニット３から取得した稼働電力の電圧推測値に基づき想定された電圧値の稼働電力の下で行われたものとする。そして、画像形成ユニット２がジョブモードの下で画像形成を行う際には、想定電圧値の稼働電力の下で行われた初期設定時の画像濃度調整にて各構成要素に設定された設定値を、稼働電力ライン１９から２４Ｖの稼働電力が供給される状態にて各構成要素に設定される設定値に補正する。具体的に述べると、初期設定時の画像濃度調整にて例えば各露光器３３に設定された光量値は、画像読取ユニット３から取得した想定電圧値の稼働電力の下で設定されたものであるとする。そして、画像形成制御部２０は、初期設定時の画像濃度調整にて各露光器３３に設定された光量値と、画像読取ユニット３から取得した稼働電力の電圧推測値とに基づき、稼働電力ライン１９から２４Ｖの稼働電力が供給される状態で初期設定としての画像濃度調整が行われたとした場合の各露光器３３に設定される光量値を算出する。そして、算出された光量値により各露光器３３に設定される光量値を補正する。
この場合には、例えば、画像形成制御部２０が想定電圧値の稼働電力の下で行われた画像濃度調整にて各構成要素に設定された設定値と、２４Ｖの稼働電力が供給される状態にて各構成要素に設定される設定値への補正量との対応関係を予め算出し、対応テーブルとして記憶しておく。それにより、画像形成制御部２０は、画像読取ユニット３から取得した稼働電力の電圧推測値から、対応テーブルを参照することで、初期設定時の画像濃度調整にて各構成要素に設定された設定値に関する補正を行う。
【００６４】
このように、本実施の形態の画像形成ユニット２では、平滑コンデンサＣ１_１,Ｃ１_２,Ｃ１_３の残留電圧が予め定めた電圧値（例えば、残留電圧Ａ）であると想定して、画像形成制御部２０がシステム制御ユニット８から復帰指示信号を受けた場合に画像形成ユニット２での初期設定を開始する時間（例えば、時間Ｔ４）を設定する。その一方で、初期設定の開始時間に稼働電力ライン１９からの稼働電力が２４Ｖに到達しているか否かを、他の制御機能部（ユニット）である例えば画像読取ユニット３に配置された構成要素の設定値、例えば照明ランプ３０６の光量に基づいて判定する。そして、他の制御機能部での構成要素の状態量（例えば、画像読取ユニット３に配置された照明ランプ３０６の光量）に基づき画像形成ユニット２での稼働電力ライン１９からの稼働電力が２４Ｖに到達していないと判定された場合には、他の制御機能部での構成要素の状態量に基づいて画像形成ユニット２での初期設定にて設定された各構成要素の設定値の補正を行う。
【００６５】
それにより、画像形成制御部２０がシステム制御ユニット８から復帰指示信号を受けた場合には、平滑コンデンサＣ１_１,Ｃ１_２,Ｃ１_３の残留電圧が予め定めた電圧値（例えば、残留電圧Ａ）である場合に稼働電力が２４Ｖに到達していると想定される予め定めた時間に、画像形成ユニット２は初期設定を開始する。そのため、画像形成ユニット２がスリープモードからジョブモードに復帰するまでの待機時間が短縮される。
また、初期設定の開始時に、稼働電力ライン１９からの稼働電力が２４Ｖに到達していないと想定される場合には、想定される稼働電力に対応させて画像形成ユニット２にて行った初期設定にて設定された各構成要素の設定値の補正を行うので、画像形成ユニット２での画像形成時において画像不良の発生が抑制される。
【００６６】
なお、ここでは、画像形成ユニット２にて行われる初期設定について述べたが、他の制御機能部（ユニット）においても同様である。
【００６７】
図９は、各ユニットに設けられた制御部の一例として、画像形成制御部２０のハードウェア構成を示した図である。図９に示したように、画像形成制御部２０は、画像形成ユニット２内の電源モード遷移制御やコンデンサスイッチのオンオフ制御等を実行するに際して、予め定められたプログラムに従ってデジタル演算処理を実行する演算手段の一例としてのＣＰＵ１０１、ＣＰＵ１０１の作業領域として用いられるＲＡＭ１０２、ＣＰＵ１０１により実行されるプログラム等にて用いられる設定値等のデータが格納されたＲＯＭ１０３、書き換え可能で電源供給が途絶えた場合にもデータを保持するＥＥＰＲＯＭやフラッシュメモリ等の不揮発性メモリ１０４、システム制御ユニット８やユニット内ＬＡＮ１６を介して接続された各サブ制御部との信号の入出力を制御するインターフェース部１０５を備えている。
【００６８】
ここで、メモリユニット７には画像形成制御部２０により実行されるプログラムが格納されており、画像形成制御部２０がこのプログラムを読み込むことによって、画像形成ユニット２内の電源モード遷移制御やコンデンサスイッチのオンオフ制御等が実行される。すなわち、画像形成ユニット２内の電源モード遷移制御やコンデンサスイッチのオンオフ制御等を実行するプログラム等が、例えばメモリユニット７としてのハードディスクやＤＶＤ−ＲＯＭ等から画像形成制御部２０のＲＡＭ１０２に読み込まれる。そして、ＲＡＭ１０２に読み込まれたプログラムに基づいて、ＣＰＵ１０１が各種処理を行う。このプログラムに関するその他の提供形態としては、予めＲＯＭ１０３に格納された状態にて提供され、ＲＡＭ１０２にロードされる形態がある。さらに、ＥＥＰＲＯＭ等の書き換え可能なＲＯＭ１０３を備えている場合には、画像形成制御部２０がセッティングされた後に、プログラムだけがＲＯＭ１０３にインストールされ、ＲＡＭ１０２にロードされる形態がある。また、インターネット等の外部ＬＡＮ１４を介して画像形成制御部２０にプログラムが伝送され、画像形成制御部２０のＲＯＭ１０３にインストールされ、ＲＡＭ１０２にロードされる形態がある。
【００６９】
以上説明したように、本実施の形態の画像形成装置１では、例えば画像形成ユニット２等の各ユニットにおいて、稼働電力ライン１９の分岐ライン１９_１,１９_２,１９_３それぞれに接続された平滑コンデンサＣ１_１,Ｃ１_２,Ｃ１_３それぞれに、第１コンデンサスイッチＳＷ１_１、第２コンデンサスイッチＳＷ１_２、および第３コンデンサスイッチＳＷ１_３を接続する。そして、各ユニットに設定された動作モードに応じて、第１コンデンサスイッチＳＷ１_１、第２コンデンサスイッチＳＷ１_２、および第３コンデンサスイッチＳＷ１_３をオン/オフする。この場合に、平滑コンデンサ以外の例えばフィルタ機能を有するコンデンサにもコンデンサスイッチを設け、同様にオンオフ制御してもよい。
【００７０】
それにより、例えば稼働電力ライン１９からの稼働電力の供給が第１スイッチＳＷ_Ａによりオフされるタイミングに同期させて、第１コンデンサスイッチＳＷ１_１、第２コンデンサスイッチＳＷ１_２、および第３コンデンサスイッチＳＷ１_３をオフすることで、平滑コンデンサＣ１_１,Ｃ１_２,Ｃ１_３それぞれには電荷が残存される。それによって、次に各ユニットにて稼働電力ライン１９からの稼働電力の供給がオンされる際には、平滑コンデンサＣ１_１,Ｃ１_２,Ｃ１_３それぞれに残存している電荷により、稼働電力ライン１９に供給される稼働電力は、オフセット電圧（残留電圧）を持った状態から目標値である２４Ｖへの立ち上がりを開始する。
そのため、例えば画像形成ユニット２等の各ユニットをスリープモードからジョブモードに復帰させる際に、システム制御ユニット８から復帰指示信号を受けてから各ユニット内に設けられた各機構部や各サブ制御部、さらには制御部が実際にジョブモードに復帰するまでの待機時間が短縮される。
【００７１】
また、本実施の形態の画像形成装置１では、例えば画像形成ユニット２等の各ユニットにおいて、稼働電力ライン１９の分岐ライン１９_１,１９_２,１９_３それぞれに接続された平滑コンデンサＣ１_１,Ｃ１_２,Ｃ１_３の残留電圧が予め定めた電圧値であると想定して、システム制御ユニット８から復帰指示信号を受けた場合に各ユニットでの初期設定を開始する時間を設定する。その一方で、初期設定の開始時間に稼働電力ライン１９からの稼働電力が２４Ｖに到達しているか否かを、他の制御機能部での構成要素の状態量に基づいて判定する。そして、稼働電力ライン１９からの稼働電力が２４Ｖに到達していないと判定された場合には、他の制御機能部での構成要素の状態量に基づいて各ユニットにて行った初期設定にて設定された各構成要素の設定値の補正を行う。
それにより、システム制御ユニット８から復帰指示信号を受けた場合には、平滑コンデンサＣ１_１,Ｃ１_２,Ｃ１_３の残留電圧が予め定めた電圧値である場合に稼働電力が２４Ｖに到達していると想定される予め定めた時間に各ユニットは初期設定を開始する。そのため、各ユニットがスリープモードからジョブモードに復帰するまでの待機時間が短縮される。
また、稼働電力ライン１９からの稼働電力が２４Ｖに到達していない場合には、想定される稼働電力に対応させて各ユニットにて行った初期設定にて設定された各構成要素の状態量の補正を行うので、各ユニットにて動作不良が発生するのを抑制する。
【図面の簡単な説明】
【００７２】
【図１】本実施の形態が適用される画像形成装置の全体構成の一例を示した図である。
【図２】画像形成装置の通信系統と電力供給系統とを説明する図である。
【図３】画像形成ユニットの機能構成を説明する図である。
【図４】画像形成ユニット内部の電力供給系統を説明する図である。
【図５】画像形成制御部が各電力ラインおよび各コンデンサに接続された各スイッチをオンオフ制御する際の処理内容の一例を示したフローチャートである。
【図６】各電力ラインを伝送される稼働電力および制御電力における電圧の立ち上がりおよび立ち下がりを説明する図である。
【図７】画像読取ユニットの機能構成を説明する図である。
【図８】画像読取ユニット内部の電力供給系統を説明する図である。
【図９】画像形成制御部のハードウェア構成を示した図である。
【符号の説明】
【００７３】
１…画像形成装置、２…画像形成ユニット、３…画像読取ユニット、４…ユーザインターフェース（ＵＩ）ユニット、５…ファクシミリ（ＦＡＸ）ユニット、６…トレイユニット、７…メモリユニット、８…システム制御ユニット、９…電力供給ユニット、１３…機内ＬＡＮ、１４…外部ＬＡＮ、１５…電力ライン、１６…ユニット内ＬＡＮ、１７,１８…制御用電力ライン、１９…稼働電力ライン、１９_１,１９_２,１９_３…分岐ライン、２０…画像形成制御部、２９…画像形成電源部、ＳＷ_Ａ…第１スイッチ、ＳＷ_Ｂ…第２スイッチ、Ｃ１_１,Ｃ１_２,Ｃ１_３,Ｃ２,Ｃ３,Ｃ４_１,Ｃ４_２,Ｃ４_３,Ｃ５,Ｃ６…平滑コンデンサ、ＳＷ１_１…第１コンデンサスイッチ、ＳＷ１_２…第２コンデンサスイッチ、ＳＷ１_３…第３コンデンサスイッチ、ＳＷ２…第４コンデンサスイッチ、ＳＷ３…第５コンデンサスイッチ、ＳＷ４_１…第６コンデンサスイッチ、ＳＷ４_２…第７コンデンサスイッチ、ＳＷ４_３…第８コンデンサスイッチ、ＳＷ５…第９コンデンサスイッチ、ＳＷ６…第１０コンデンサスイッチ
【図１】
2010088073.tif 000003
【図２】
2010088073.tif 000004
【図３】
2010088073.tif 000005
【図４】
2010088073.tif 000006
【図５】
2010088073.tif 000007
【図６】
2010088073.tif 000008
【図７】
2010088073.tif 000009
【図８】
2010088073.tif 000010
【図９】
2010088073.tif 000011